(57)【要約】  ＳＧＷが故障した通信状態の回復方法及びシステム、ＭＭＥ、ＳＧＷであって、前記方法は、移動管理エンティティＭＭＥが、サービスゲートウェイＳＧＷに故障が発生し且つユーザがロスト状態にあることを知ることと、前記ＭＭＥが、予備ＳＧＷにセッション確立要求メッセージを送信して、前記予備ＳＧＷによりパケットデータネットワークゲートウェイＰＧＷにおけるセッションコンテキスト情報を更新することと、を含む。【選択図】図１
2018523381.tif 000002
【特許請求の範囲】
【請求項１】
移動管理エンティティＭＭＥが、サービスゲートウェイＳＧＷに故障が発生し且つユーザがロスト状態にあることを知ることと、
前記ＭＭＥが、予備ＳＧＷにセッション確立要求メッセージを送信して、前記予備ＳＧＷによりパケットデータネットワークゲートウェイＰＧＷにおけるセッションコンテキスト情報を更新することと、を含む、サービスゲートウェイＳＧＷが故障した通信状態の回復方法。
【請求項２】
前記ＭＭＥがＳＧＷに故障が発生し且つユーザがロスト状態にあることを知ることは、
前記ＭＭＥが、受信したＰＧＷダウンリンクトリガー通知メッセージに基づいて、ＳＧＷに故障が発生し且つユーザがロスト状態にあることを知ることを含む請求項１に記載の方法。
【請求項３】
前記ロスト状態は、サスペンド状態又はページング到達不能状態を含む請求項１に記載の方法。
【請求項４】
前記ユーザがサスペンド状態にあり、前記ＭＭＥは、予備ＳＧＷにセッション確立要求メッセージを送信した後、
前記ＭＭＥは、予備ＳＧＷにサスペンド要求メッセージを送信して、前記予備ＳＧＷにベアリングリソースをサスペンドさせること、を更に含む請求項３に記載の方法。
【請求項５】
前記ＭＭＥが予備ＳＧＷにセッション確立要求メッセージを送信することは、
前記ＭＭＥが、この前に保存したユーザ位置情報及び／又はアクセスポイント情報に基づいて、ＳＧＷプールから予備ＳＧＷを選択することと、
前記ＭＭＥが、前記予備ＳＧＷにセッション確立要求メッセージを送信することと、を含む請求項１に記載の方法。
【請求項６】
前記予備ＳＧＷによりＰＧＷにおけるセッションコンテキスト情報を更新することは、
前記予備ＳＧＷが、前記ＰＧＷにベアリング補正要求メッセージを送信し、前記ベアリング補正要求メッセージは前記予備ＳＧＷのコントロールプレーンアドレスとユーザプレーンアドレス及びトンネル端点識別子ＴＥＩＤを含み、前記ＰＧＷに前記ベアリング補正要求メッセージに基づいてセッションコンテキスト情報を更新させること、を含む請求項１に記載の方法。
【請求項７】
ＳＧＷに故障が発生し且つユーザがロスト状態にあることを知るように設定される知得ユニットと、
予備ＳＧＷにセッション確立要求メッセージを送信して、前記予備ＳＧＷによりＰＧＷにおけるセッションコンテキスト情報を更新するように設定される第１送信ユニットと、を備える移動管理エンティティＭＭＥ。
【請求項８】
前記ロスト状態は、サスペンド状態又はページング不能状態を含む請求項７に記載のMME。
【請求項９】
前記ユーザがサスペンド状態にあり、前記第１送信ユニットは更に、前記予備ＳＧＷにセッション確立要求メッセージを送信した後、前記予備ＳＧＷにサスペンド要求メッセージを送信して、前記予備ＳＧＷにベアリングリソースをサスペンドさせるように設定される請求項８に記載のＭＭＥ。
【請求項１０】
ＭＭＥからのセッション確立要求メッセージを受信するように設定される受信ユニットと、
前記セッション確立要求メッセージに基づいて、セッションコンテキスト情報を更新するようにＰＧＷに指示するように設定される第２送信ユニットと、を備えるサービスゲートウェイＳＧＷ。
【請求項１１】
請求項７〜９のいずれか１項に記載のＭＭＥと、請求項１０に記載のサービスゲートウェイと、を備える通信システム。
【請求項１２】
コンピュータ実行可能な指令が記憶され、前記コンピュータ実行可能な指令は請求項１〜６のいずれか１項に記載の方法を実行するためのものであるコンピュータ読み取り可能な記憶媒体。
【発明の詳細な説明】
【技術分野】
【０００１】
本願は通信技術分野に関し、例えばＳＧＷが故障した通信状態の回復に関する。
【背景技術】
【０００２】
４Ｇコアネットワーク‐発展型パケットコアネットワーク（Evolved Packet Core、ＥＰＣ）において、移動管理エンティティ（Mobility Management Entity、ＭＭＥ）、サービスゲートウェイ（Serving Gateway、ＳＧＷ）、パケットデータネットワークゲートウェイ（PDN Gateway、ＰＧＷ）はいずれもプール（POOL）の方式で負荷分担及びネットワークエレメント間の冗長バックアップを実現した。ユーザ装置（User Equipment、ＵＥ）が再接続し、使用可能なＭＭＥ、ＳＧＷ及びＰＧＷを再選択し、発展型パケットシステム（Evolved Packet System、ＥＰＳ）ベアリングを再確立しさえすれば、ＥＰＣネットワークエレメントのディザスタリカバリサービス（disaster recovery service）回復を実現できる。
【０００３】
Voice over LTE（ＶｏＬＴＥ）は、ロングタームエボリューション（Long Term Evolution、ＬＴＥ）に基づいてベアリングするＩＰマルチメディアサブシステム（IP Multimedia Subsystem、ＩＭＳ）音声サービスである。ＶｏＬＴＥサービスの信頼性を確保するために、ＥＰＣネットワークのより高い信頼性が求められる。特にＶｏＬＴＥ着信呼サービスに対して、ＵＥのリアルタイムオンラインを維持して、使用可能なＥＰＳベアリングが始終あることを維持する必要がある。そのため、ＥＰＣネットワークエレメントに故障が発生した後、できるだけ早くＥＰＳベアリングを改めて確立して、サービス回復を完成する必要がある。
【０００４】
ＰＧＷがＳＧＷの故障を検出した場合、ＵＥのダウンリンクデータ又はダウンリンクシグナリングがあるときに、ＰＧＷは自発的にユーザをトリガーして回復し、ＵＥをページングするようにＭＭＥに通知し、ＵＥのページング応答を受信した後にＭＭＥはＳＧＷを改めて選択し、ユーザのＬＴＥネットワークでのサービス信頼性を確保する。しかし、この時、ＵＥがサスペンド（Suspend）状態又はページング不能状態にある場合、ＭＭＥはユーザをページングすることができなく、それにより、ＳＧＷのユーザセッションコンテキスト情報をタイムリーに回復できなく、サービスの信頼性を確保できない。
【発明の概要】
【発明が解決しようとする課題】
【０００５】
本発明の実施例は、関連技術においてＭＭＥがユーザ装置をページングすることができない場合、ＳＧＷのユーザセッションコンテキスト情報をタイムリーに回復できなく、サービスの信頼性を確保できない問題を解決できる、ＳＧＷが故障した通信状態の回復方法及びシステム、ＭＭＥ、ＳＧＷを提供する。
【課題を解決するための手段】
【０００６】
本発明の実施例は、ＳＧＷが故障した通信状態の回復方法を提供し、移動管理エンティティＭＭＥがサービスゲートウェイＳＧＷに故障が発生し且つユーザが通信不能状態にあることを知ることと、前記ＭＭＥが予備ＳＧＷにセッション確立要求メッセージを送信して、前記予備ＳＧＷによりパケットデータネットワークゲートウェイＰＧＷにおけるセッションコンテキスト情報を更新することと、を含む。
【０００７】
選択的に、前記ＭＭＥがＳＧＷに故障が発生し且つユーザが通信不能状態にあることを知ることは、前記ＭＭＥが、受信したＰＧＷダウンリンクトリガー通知メッセージに基づいてＳＧＷに故障が発生し且つユーザが通信不能状態にあることを知ることを含む。
【０００８】
選択的に、前記通信不能状態は、サスペンド状態又はページング不能状態を含む。
【０００９】
選択的に、前記ユーザはサスペンド状態にあり、前記ＭＭＥが予備ＳＧＷにセッション確立要求メッセージを送信した後、前記方法は、前記ＭＭＥが予備ＳＧＷにサスペンド要求メッセージを送信して、前記予備ＳＧＷにベアリングリソースをサスペンドさせること、を更に含む。
【００１０】
選択的に、前記ＭＭＥが予備ＳＧＷにセッション確立要求メッセージを送信することは、前記ＭＭＥが、この前に保存したユーザ位置情報及び／又はアクセスポイント情報に基づいて、ＳＧＷプールから予備ＳＧＷを選択することと、前記ＭＭＥが、前記予備ＳＧＷにセッション確立要求メッセージを送信することと、を含む。
【００１１】
選択的に、前記予備ＳＧＷによりＰＧＷにおけるセッションコンテキスト情報を更新することは、前記予備ＳＧＷが前記ＰＧＷにベアリング補正要求メッセージを送信し、前記ベアリング補正要求メッセージは前記予備ＳＧＷのコントロールプレーンアドレスとユーザプレーンアドレス及びＴＥＩＤ（Tunnel Endpoint Identifier、トンネル端点識別子）を含み、前記ＰＧＷに前記ベアリング補正要求メッセージに基づいてセッションコンテキスト情報を更新させること、を含む。
【００１２】
本発明の実施例は、ＭＭＥを更に提供し、ＳＧＷに故障が発生し且つユーザが通信不能状態にあることを知るように設定される知得ユニットと、予備ＳＧＷにセッション確立要求メッセージを送信して、前記予備ＳＧＷによりＰＧＷにおけるセッションコンテキスト情報を更新するように設定される第１送信ユニットと、を備える。
【００１３】
選択的に、前記通信不能状態はサスペンド状態又はページング不能状態を含む。
【００１４】
選択的に、前記ユーザはサスペンド状態にあり、前記第１送信ユニットは更に、前記予備ＳＧＷにセッション確立要求メッセージを送信した後、前記予備ＳＧＷにサスペンド要求メッセージを送信して、前記予備ＳＧＷにベアリングリソースをサスペンドさせるように設定される。
【００１５】
本発明の実施例は、ＳＧＷを更に提供し、ＭＭＥからのセッション確立要求メッセージを受信するように設定される受信ユニットと、前記セッション確立要求メッセージに基づいて、セッションコンテキスト情報を更新するようにＰＧＷに指示するように設定される第２送信ユニットと、を備える。 
【００１６】
本発明の実施例は、通信システムを更に提供し、本発明の実施例によるＭＭＥ及びＳＧＷを備える。
【００１７】
本発明の実施例は、コンピュータ読み取り可能な記憶媒体を更に提供し、コンピュータ実行可能な指令が記憶され、前記コンピュータ実行可能な指令は本発明の実施例による方法の実行に用いられる。
【発明の効果】
【００１８】
本発明の実施例による、ＳＧＷが故障した通信状態の回復方法及びシステム、ＭＭＥ、ＳＧＷによれば、ＭＭＥは、ＳＧＷに故障が発生し且つユーザが通信不能状態にあることを知り、それから予備ＳＧＷにセッション確立要求メッセージを送信して、前記予備ＳＧＷによりＰＧＷにおけるセッションコンテキスト情報を更新することができ、このように、ＳＧＷの故障が発生した場合、ユーザとネットワークが通信不能状態にあっても、ネットワークはユーザのコンテキスト情報をタイムリーに回復することができ、それによりサービスの信頼性を効果的に確保する。
【図面の簡単な説明】
【００１９】
【図１】図１は、本発明の実施例によるＳＧＷが故障した通信状態の回復方法の1つのフローチャートである。
【図２】図２は、本発明の実施例によるＳＧＷが故障した通信状態の回復方法の他のフローチャートである。
【図３】図３は、本発明の実施例によるＳＧＷが故障した通信状態の回復方法の更なるフローチャートである。
【図４】図４は、本発明の実施例によるＭＭＥの１つの構造模式図である。
【図５】図５は、本発明の実施例によるＳＧＷの１つの構造模式図である。
【発明を実施するための形態】
【００２０】
以下、図面を参照しながら、本発明の実施例について詳しく説明する。なお、ここで記載の実施例は、本発明の保護範囲を制限するためのものではない。
【００２１】
図１に示すように、本発明の実施例は、ＳＧＷが故障した通信状態の回復方法を提供し、
Ｓ１１、ＭＭＥが、ＳＧＷに故障が発生し且つユーザが通信不能状態にあることを知ることと、
Ｓ１２、前記ＭＭＥが、予備ＳＧＷにセッション確立要求メッセージを送信して、前記予備ＳＧＷによりＰＧＷにおけるセッションコンテキスト情報を更新することと、を含む。
【００２２】
本発明の実施例による、ＳＧＷが故障した通信状態の回復方法によれば、ＭＭＥは、サービスゲートウェイＳＧＷに故障が発生し且つユーザが通信不能状態にあることを知り、それから予備ＳＧＷにセッション確立要求メッセージを送信して、前記予備ＳＧＷによりＰＧＷにおけるセッションコンテキスト情報を更新することができ、このように、ＳＧＷの故障が発生した場合、ユーザとネットワークが通信不能状態にあっても、ネットワークはユーザのコンテキスト情報をタイムリーに回復することができ、それによりサービスの信頼性を効果的に確保する。
【００２３】
選択的に、ステップＳ１１において、ＭＭＥは、受信したＰＧＷダウンリンクトリガー通知メッセージに基づいて、ＳＧＷに故障が発生し且つユーザが通信不能状態にあることを知ることができる。ＳＧＷには故障による再起動又はリンク中断が発生した場合、ＰＧＷが定期的にＳＧＷに送信するecho要求メッセージは応答を取得することができなくなり、それにより、ＰＧＷは、ＳＧＷのリンク不通を検出し、ＳＧＷに故障が発生したことを確定する。故障に対して回復するために、ＰＧＷは、ＵＥのダウンリンクデータ又はダウンリンクシグナリングを受信した後、ＰＧＷダウンリンクトリガー通知（PGW Downlink Triggering Notification、ＰＤＴＮ）メッセージを開始して、ＳＧＷ Poolから他の使用可能なＳＧＷを選択し、該ＳＧＷに該ＰＤＴＮメッセージを送信して、該メッセージにユーザの登録したＭＭＥアドレス情報を含める。該ＳＧＷは、ＰＤＴＮメッセージを受信した後、メッセージに含まれるＭＭＥ ＩＰアドレス情報に基づいて、ＰＤＴＮメッセージをＭＭＥに転送することができる。ＭＭＥは、ＰＤＴＮメッセージを受信した後、メッセージにおける国際移動加入者識別番号（International Mobile Subscriber Identification Number、ＩＭＳＩ）に基づいてユーザコンテキストを検索し、ユーザ状態が通信不能状態、例えばSuspend状態又はページング不能状態であることを発見すると、ＳＧＷにＰＧＷダウンリンクトリガー確認（PGW Downlink Triggering Acknowledge、ＰＤＴＡ）メッセージを返信する。
【００２４】
選択的に、ステップＳ１２において、前記ＭＭＥが予備ＳＧＷにセッション確立要求メッセージを送信することは、
前記ＭＭＥが、この前に保存したユーザ位置情報及び／又はアクセスポイント情報に基づいて、ＳＧＷプールから予備ＳＧＷを選択することと、
前記ＭＭＥが、前記予備ＳＧＷにセッション確立要求メッセージを送信することと、を含んでもよい。
【００２５】
つまり、ＭＭＥは、ＳＧＷ再選択フローを開始し、ＳＧＷ Poolから使用可能なＳＧＷを予備ＳＧＷとして選択して、セッション確立要求を該予備ＳＧＷに送信する。予備ＳＧＷは、ベアリング補正要求メッセージをＰＧＷに送信して、ＰＧＷにセッションコンテキスト情報を更新させ、新しいＳＧＷと通信する。このように、ユーザが通信不能状態にあっても、通信リンクにおけるネットワークエレメントは、リンク故障をタイムリーに回復でき、サービスの信頼性を効果的に確保する。 
【００２６】
ステップＳ１２において、前記予備ＳＧＷによりＰＧＷにおけるセッションコンテキスト情報を更新することは、前記予備ＳＧＷが、前記ＰＧＷにベアリング補正要求メッセージを送信し、前記ベアリング補正要求メッセージは、前記予備ＳＧＷのコントロールプレーンアドレスとユーザプレーンアドレス及びＴＥＩＤを含み、前記ＰＧＷに前記ベアリング補正要求メッセージに基づいてセッションコンテキスト情報を更新させること、を含んでもよい。
【００２７】
選択的に、ユーザの通信不能状態がページング不能状態である場合、ＰＧＷは、新しいユーザコンテキスト情報を知った後、ユーザ信号が回復する時に、セッションを改めて確立する必要がなく、回復したネットワークを直接に使用することができる。ユーザの通信不能状態がサスペンド状態である場合、ステップＳ１２の、ＭＭＥが予備ＳＧＷにセッション確立要求メッセージを送信した後、本発明の実施例による通信状態の回復方法は、前記ＭＭＥが予備ＳＧＷにサスペンド要求メッセージを送信して、前記予備ＳＧＷにベアリングリソースをサスペンドさせること、を更に含んでもよい。ユーザ信号が回復する場合、直接にサスペンド状態から正常に回復することができる。
【００２８】
図２は、ＰＧＷがＳＧＷの故障を検出した後、ダウンリンクデータを受信した場合、ＰＧＷがＳＧＷをトリガーしてページング不能状態のユーザを回復する１つの実施例を示す。本実施例において、ＳＧＷの故障、ＰＧＷの回復トリガーの場合、ＭＭＥの、ページング不能状態のユーザに対する回復方法を提供し、図２に示すように、
ステップ２０１、ＰＧＷは、ＳＧＷ１の故障を検出した後、ダウンリンクデータを受信し、ＳＧＷ Poolにおける正常なＳＧＷ２を選択し、ＳＧＷ２にＰＤＴＮメッセージを送信し、ＵＥのＩＭＳＩ及びＵＥの登録したＭＭＥのＩＰアドレス情報を含めることと、
ステップ２０２、ＳＧＷ２が、ＭＭＥのＩＰアドレス情報に基づいて、ＰＤＴＮメッセージをＭＭＥに転送することと、
ステップ２０３、ＭＭＥは、ＰＤＴＮメッセージにおけるＩＭＳＩに基づいて、ユーザコンテキスト情報を検索し、ユーザがページング不能状態にあることを発見すると、ＳＧＷ２にＰＤＴＡメッセージを返信することと、
ステップ２０４、ＳＧＷ２が、ＰＤＴＡメッセージをＰＧＷに転送することと、
ステップ２０５、ＭＭＥは、ＳＧＷ再選択フローを開始し、ＳＧＷ Poolにおける正常なＳＧＷ２を選択してセッションを確立し、ＭＭＥは、セッション確立要求をＳＧＷ２に送信し、ＭＭＥのコントロールプレーンアドレス及びＴＥＩＤを含めることと、
ステップ２０６、ＳＧＷ２は、ベアリング補正要求メッセージをＰＧＷに送信し、ＳＧＷ２自体のコントロールプレーンとユーザプレーンのアドレス及びＴＥＩＤを含め、それによりＰＧＷにおけるセッションコンテキスト情報を更新することと、
ステップ２０７、ＰＧＷは、ベアリング補正応答メッセージをＳＧＷ２に送信し、ＰＧＷのコントロールプレーンとユーザプレーンのアドレス及びＴＥＩＤを含めることと、 
ステップ２０８、ＳＧＷ２は、セッション確立応答メッセージをＭＭＥに送信し、ＳＧＷ２のコントロールプレーンとユーザプレーンのアドレス及びＴＥＩＤを含めることと、を含む。
【００２９】
図３は、ＰＧＷがＳＧＷの故障を検出した後、ダウンリンクデータを受信した場合、ＰＧＷがＳＧＷをトリガーしてSuspend状態のユーザを回復する１つの実施例を示す。
本実施例において、ＳＧＷの故障、ＰＧＷの回復トリガーの場合、ＭＭＥのSuspend状態のユーザに対する回復方法を提供する。
図３に示すように、
ステップ３０１、ＰＧＷは、ＳＧＷ１の故障を検出した後、ダウンリンクデータを受信し、ＳＧＷ Poolにおける正常なＳＧＷ３を選択し、ＳＧＷ３にＰＤＴＮメッセージを送信し、ＵＥのＩＭＳＩ及びＵＥの登録したＭＭＥのＩＰアドレス情報を含めることと、
ステップ３０２、ＳＧＷ３が、ＭＭＥのＩＰアドレス情報に基づいて、ＰＤＴＮメッセージをＭＭＥに転送することと、
ステップ３０３、ＭＭＥは、ＰＤＴＮメッセージにおけるＩＭＳＩに基づいて、ユーザコンテキスト情報を検索し、ユーザがページング不能状態にあることを発見すると、ＳＧＷ３にＰＤＴＡメッセージを返信することと、
ステップ３０４、ＳＧＷ３が、ＰＤＴＡメッセージをＰＧＷに転送することと、
ステップ３０５、ＭＭＥは、ＳＧＷ再選択フローを開始し、ＳＧＷ Poolにおける正常なＳＧＷ３を選択してセッションを確立し、ＭＭＥは、セッション確立要求をＳＧＷ３に送信し、ＭＭＥ自体のコントロールプレーンアドレス及びＴＥＩＤを含めることと、
ステップ３０６、ＳＧＷ３は、ベアリング補正要求メッセージをＰＧＷに送信し、ＳＧＷ３自体のコントロールプレーンとユーザプレーンのアドレス及びＴＥＩＤを含め、それによりＰＧＷにおけるセッションコンテキスト情報を更新することと、
ステップ３０７、ＰＧＷは、ベアリング補正応答メッセージをＳＧＷ３に送信し、ＰＧＷのコントロールプレーンとユーザプレーンのアドレス及びＴＥＩＤを含めることと、
ステップ３０８、ＳＧＷ３は、セッション確立応答メッセージをＭＭＥに送信し、ＳＧＷ３のコントロールプレーンとユーザプレーンのアドレス及びＴＥＩＤを含めることと、
ステップ３０９、ＭＭＥは、セッション確立成功応答を受信した後、ユーザがSuspend状態にあると、サスペンド要求メッセージをＳＧＷ３に送信し、ベアリングリソースをサスペンドするようにＳＧＷ３に通知することと、
ステップ３１０、ＳＧＷ３が、サスペンド成功応答メッセージを返信することと、を含む。
【００３０】
図３と図４に示す実施例において、ＰＧＷとＭＭＥはいずれも、ＳＧＷ２を予備ＳＧＷとして選択するが、これは選択的な形態であり、ＰＧＷとＭＭＥの選択は互いに独立するものであってもよく、ＰＧＷとＭＭＥは、同じ又は異なるＳＧＷを選択してもよい。
【００３１】
対応的に、図４に示すように、本発明の実施例は、ＭＭＥを更に提供し、
ＳＧＷに故障が発生し且つユーザが通信不能状態にあることを知るように設定される知得ユニット４１と、
予備ＳＧＷにセッション確立要求メッセージを送信して、前記予備ＳＧＷによりＰＧＷにおけるセッションコンテキスト情報を更新するように設定される第１送信ユニット４２と、を備える。
【００３２】
本発明の実施例によるＭＭＥによれば、知得ユニット４１は、ＳＧＷに故障が発生し且つユーザが通信不能状態にあることを知り、第１送信ユニット４２は、予備ＳＧＷにセッション確立要求メッセージを送信して、前記予備ＳＧＷによりＰＧＷにおけるセッションコンテキスト情報を更新することができ、このように、ＳＧＷの故障が発生した場合、ユーザとネットワークが通信不能状態にあっても、ネットワークはユーザのコンテキスト情報をタイムリーに回復することができ、それによりサービスの信頼性を効果的に確保する。
【００３３】
選択的に、前記通信不能状態は、サスペンド状態又はページング不能状態を含む。
【００３４】
ユーザがサスペンド状態にある場合、第１送信ユニット４２は更に、前記予備ＳＧＷにセッション確立要求メッセージを送信した後、前記予備ＳＧＷにサスペンド要求メッセージを送信して、前記予備ＳＧＷにベアリングリソースをサスペンドさせるように設定される。
【００３５】
対応的に、図５に示すように、本発明の実施例は、ＳＧＷを更に提供し、
ＭＭＥからのセッション確立要求メッセージを受信するように設定される受信ユニット５１と、
前記セッション確立要求メッセージに基づいて、セッションコンテキスト情報を更新するようにＰＧＷに指示するように設定される第２送信ユニット５２と、を備える。
【００３６】
本発明の実施例によるＳＧＷによれば、受信ユニット５１は、ＭＭＥからのセッション確立要求メッセージを受信することができ、第２送信ユニット５２は、前記セッション確立要求メッセージに基づいて、セッションコンテキスト情報を更新するようにＰＧＷに指示することができる。このように、ＳＧＷの故障が発生した場合、ユーザとネットワークが通信不能状態にあっても、ネットワークはユーザのコンテキスト情報をタイムリーに回復することができ、それによりサービスの信頼性を効果的に確保する。
【００３７】
選択的に、第２送信ユニット５２は、ベアリング補正要求メッセージをＰＧＷに送信して、前記ＰＧＷにセッションコンテキスト情報を更新させるように設定されてもよい。
【００３８】
対応的に、本発明の実施例は、通信システムを更に提供し、前記実施例によるいずれかのＭＭＥ、及び前記実施例によるいずれかのサービスゲートウェイを備えるため、対応の効果を実現することもでき、前記は対応的に説明したため、ここで繰り返して説明しない。
【００３９】
本発明の実施例は、ＰＧＷを更に提供し、メモリ及び少なくとも１つのプロセッサを備え、メモリにはプロセッサの実行可能な指令が記憶され、前記指令は、
ＳＧＷの故障を検出した後、ダウンリンクデータ又はダウンリンクシグナリングを受信した場合、予備ＳＧＷにＰＤＴＮメッセージを送信し、ユーザの登録したＭＭＥアドレス情報を含めて、前記予備ＳＧＷにより前記ＰＤＴＮメッセージをＭＭＥに送信するステップと、
予備ＳＧＷの送信したベアリング補正要求メッセージを受信するステップと、
前記ベアリング補正要求メッセージに基づいてセッションコンテキスト情報を更新するステップと、を実行することに用いられる。
【００４０】
上記通信システムは、前記ＰＧＷを更に備える。
【００４１】
本発明の実施例によるＭＭＥは、メモリ及び少なくとも１つのプロセッサを備えていてもよく、メモリにはプロセッサの実行可能な指令が記憶され、前記指令は上記実施例においてＭＭＥが実行したステップを実行することに用いられる。
【００４２】
本発明の実施例によるＳＧＷは、メモリ及び少なくとも１つのプロセッサを備えていてもよく、メモリにはプロセッサの実行可能な指令が記憶され、前記指令は上記実施例においてＳＧＷが実行したステップを実行することに用いられる。
【００４３】
本発明の実施例は、コンピュータ読み取り可能な記憶媒体を更に提供し、コンピュータ実行可能な指令が記憶され、前記コンピュータ実行可能な指令は上記実施例においてＰＧＷ及び／又はＭＭＥ及び／又はＳＧＷが実行したステップを実行することに用いられる。
【００４４】
当業者は、本発明の実施例が、方法、システム、又はコンピュータプログラム製品として提供されることができることを理解すべきである。従って、本発明の実施例は、ハードウェア、ソフトウェア、又はソフトウェアとハードウェアとの組み合わせにより実現できる。そして、本発明の実施例は、コンピュータ使用可能なプログラムコードが含まれる１つ又は複数のコンピュータ使用可能な記憶媒体（ディスク記憶装置と光記憶装置を含むがこれらに限定されない）において実施されるコンピュータプログラム製品の形態を採用できる。
【００４５】
本文は、本発明の実施例による方法、装置（システム）、及びコンピュータプログラム製品のフロー図及び/又はブロック図を参照して記載されるものである。コンピュータプログラム指令により、フロー図及び/又はブロック図における各フロー及び/又はブロック、及びフロー図及び/又はブロック図におけるフロー及び/又はブロックの組合せを実現できることを理解すべきである。これらのコンピュータプログラム指令を汎用コンピュータ、専用コンピュータ、組込みプロセッサ、又は他のプログラマブルデータ処理装置のプロセッサに提供して１つの機器を作り出すことができ、これにより、コンピュータ又は他のプログラマブルデータ処理装置のプロセッサにより実行される指令により、フロー図における１つのフロー又は複数のフロー及び/又はブロック図における１つのブロック又は複数のブロックにおいて指定された機能を実現するための装置を作り出す。
【００４６】
これらのコンピュータプログラム指令は、コンピュータ又は他のプログラマブルデータ処理装置を特定方式により作動するように導くことができるコンピュータ読み取り可能な記憶装置に記憶されることもでき、これにより、該コンピュータ読み取り可能な記憶装置に記憶される指令は指令装置を含む製造品を作り出し、該指令装置はフロー図における１つのフロー又は複数のフロー及び/又はブロック図における１つのブロック又は複数のブロックにおいて指定された機能を実現する。
【００４７】
これらのコンピュータプログラム指令は、コンピュータ又は他のプログラマブルデータ処理装置にインストールされることもでき、これにより、コンピュータ又は他のプログラマブルデータ処理装置において一連の操作ステップを実行してコンピュータが実現した処理を作り出し、更にコンピュータ又は他のプログラマブルデータ処理装置において実行された指令はフロー図における１つのフロー又は複数のフロー及び/又はブロック図における１つのブロック又は複数のブロックにおいて指定された機能を実現するためのステップを提供する。
【産業上の利用可能性】
【００４８】
本発明の実施例による方法によれば、ＳＧＷに故障が発生した場合、ユーザとネットワークが通信不能状態にあっても、ネットワークはユーザのコンテキスト情報をタイムリーに回復することができ、それによりサービスの信頼性を効果的に確保する。
【図１】
2018523381.tif 000003
【図２】
2018523381.tif 000004
【図３】
2018523381.tif 000005
【図４】
2018523381.tif 000006
【図５】
2018523381.tif 000007
【手続補正書】
【提出日】平成29年12月21日(2017.12.21)
【手続補正１】
【補正対象書類名】図面
【補正対象項目名】図２
【補正方法】変更
【補正の内容】
【図２】
2018523381.tif 000008
【手続補正２】
【補正対象書類名】図面
【補正対象項目名】図３
【補正方法】変更
【補正の内容】
【図３】
2018523381.tif 000009
【国際調査報告】
2018523381.tif 000010
2018523381.tif 000011
2018523381.tif 000012
2018523381.tif 000013
2018523381.tif 000014
2018523381.tif 000015